(57)【要約】      （修正有）【課題】アンライセンスドバンドの監視結果に応じて上りリンクデータ送信を行うユーザ端末に対し、監視に要する時間を含めた時間リソースを割り当てる割当方法及び基地局、ユーザ端末を提供する。【解決手段】基地局は、アンライセンスドバンドにおける上りリンク送信用の時間リソースとして、複数のサブフレームをユーザ端末に割り当てる。複数のサブフレームのうち最初のサブフレームに対応する割り当て情報、及び、最初のサブフレームに後続するサブフレームの数を示す情報とを割当情報としてユーザ端末に送信する。【選択図】図１４
2019033525.tif 000002
【特許請求の範囲】
【請求項１】
アンライセンスドバンドの監視結果に応じて上りリンクデータ送信を行うユーザ端末との通信を行う基地局であって、
前記アンライセンスドバンドにおける上りリンク送信用の時間リソースとして、複数のサブフレームを前記ユーザ端末に割り当てる制御部と、
前記複数のサブフレームのうち最初のサブフレームに対応する割り当て情報を前記ユーザ端末に送信する送信部と、を備え、
前記送信部は、前記最初のサブフレームを示す情報と、前記複数のサブフレームのうち前記最初のサブフレームに後続するサブフレームの数を示す情報とを、前記最初のサブフレームに対応する前記割り当て情報に含める
基地局。
【請求項２】
アンライセンスドバンドにおける上りリンク送信用の時間リソースとして、複数のサブフレームを示す割り当て情報を基地局から受信する受信部と、
前記アンライセンスドバンドの監視結果に応じて、前記複数のサブフレームの少なくとも１つを用いて前記アンライセンスドバンドにおける上りリンクデータ送信を行う送信部と、を備え、
前記複数のサブフレームのうち最初のサブフレームに対応する割り当て情報は、前記最初のサブフレームを示す情報と、前記連続する複数のサブフレームのうち前記最初のサブフレームに後続するサブフレームの数を示す情報とを含む
ユーザ端末。
【請求項３】
アンライセンスドバンドの監視結果に応じて上りリンクデータ送信を行うユーザ端末との通信を行う基地局のための方法であって、
前記アンライセンスドバンドにおける上りリンク送信用の時間リソースとして、複数のサブフレームを前記ユーザ端末に割り当てるステップと、
前記複数のサブフレームのうち最初のサブフレームに対応する割り当て情報を前記ユーザ端末に送信するステップと、を備え、
前記送信するステップは、前記最初のサブフレームを示す情報と、前記複数のサブフレームのうち前記最初のサブフレームに後続するサブフレームの数を示す情報とを、前記最初のサブフレームに対応する前記割り当て情報に含めるステップを備える
方法。
【請求項４】
ユーザ端末のための方法であって、
アンライセンスドバンドにおける上りリンク送信用の時間リソースとして、複数のサブフレームを示す割り当て情報を基地局から受信するステップと、
前記アンライセンスドバンドの監視結果に応じて、前記複数のサブフレームの少なくとも１つを用いて前記アンライセンスドバンドにおける上りリンクデータ送信を行うステップと、を備え、
前記複数のサブフレームのうち最初のサブフレームに対応する割り当て情報は、前記最初のサブフレームを示す情報と、前記連続する複数のサブフレームのうち前記最初のサブフレームに後続するサブフレームの数を示す情報とを含む
方法。
【請求項５】
請求項１に記載の基地局と、
請求項２に記載のユーザ端末と、を備える
移動通信システム。
【発明の詳細な説明】
【技術分野】
【０００１】
本発明は、移動通信システムにおいて用いられるユーザ端末及び基地局に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）においては、急増するトラフィック需要に応えるべく、ＬＴＥ（Ｌｏｎｇ  Ｔｅｒｍ  Ｅｖｏｌｕｔｉｏｎ）を高度化する試みが進められている。そのような試みの一つとして、オペレータに免許が付与された周波数帯（ライセンスドバンド）だけではなく、免許が不要な周波数帯（アンライセンスドバンド）もＬＴＥ通信に使用することが検討されている。
【０００３】
アンライセンスドバンドにおいては、ＬＴＥシステムとは異なる他システム（無線ＬＡＮ等）又は他オペレータのＬＴＥシステムとの干渉を回避するために、ｌｉｓｔｅｎ−ｂｅｆｏｒｅ−ｔａｌｋ（ＬＢＴ）手順が要求される。ＬＢＴ手順は、アンライセンスドバンド内の周波数を監視することにより、当該周波数が空いているか否かを受信電力（干渉電力）に基づいて確認し、空き（ｃｌｅａｒ  ｃｈａｎｎｅｌ）であることが確認された場合に限り当該周波数を使用する手順である。
【発明の概要】
【０００４】
一つの実施形態に係るユーザ端末は、アンライセンスドバンドを用いて基地局に上りリンクデータを送信する。前記ユーザ端末は、前記アンライセンスドバンドの監視結果に応じてサブフレームの途中から上りリンクデータ送信を開始する場合、前記上りリンクデータとは異なる特定の信号を当該上りリンクデータの先頭で送信する処理を行う制御部を備える。
【０００５】
一つの実施形態に係るユーザ端末は、アンライセンスドバンドを用いて基地局に上りリンクデータを送信する。前記ユーザ端末は、前記アンライセンスドバンドの監視結果に応じて、１つのサブフレームに設定された複数の候補タイミングのうち１つを選択し、選択した候補タイミングで前記上りリンクデータの送信を開始する制御部を備える。
【０００６】
一つの実施形態に係る基地局は、アンライセンスドバンドを用いて上りリンクデータを送信するユーザ端末との通信を行う。前記基地局は、前記ユーザ端末が前記アンライセンスドバンドの監視結果に応じてサブフレーム境界を跨いで上りリンクデータ送信を行う場合、一定期間において前記アンライセンスドバンド内の同一の周波数リソースを前記ユーザ端末に連続的に割り当てる制御部を備える。前記サブフレーム境界は、連続する２つのサブフレームの境目である。
【０００７】
一つの実施形態に係る基地局は、アンライセンスドバンドを用いて上りリンクデータを送信するユーザ端末との通信を行う。前記基地局は、前記ユーザ端末が前記アンライセンスドバンドの監視結果に応じてサブフレーム境界を跨いで上りリンクデータ送信を行う場合、連続する複数のサブフレームを前記ユーザ端末に割り当てる制御部を備える。前記サブフレーム境界は、連続する２つのサブフレームの境目である。
【０００８】
一つの実施形態に係る基地局は、アンライセンスドバンドを用いて上りリンクデータを送信するユーザ端末との通信を行う。前記基地局は、前記アンライセンスドバンドに含まれる周波数リソースを第１のユーザ端末に割り当てた後、前記周波数リソースを第２のユーザ端末に割り当てる場合、前記第１のユーザ端末への割り当て期間が終了してから一定の時間間隔をおいて前記周波数リソースを前記第２のユーザ端末に割り当てる制御部を備える。
【０００９】
一つの実施形態に係るユーザ端末は、アンライセンスドバンドを用いて基地局に対する上りリンクデータ送信を行う。前記ユーザ端末は、前記アンライセンスドバンドの監視結果に基づいて上りリンクデータ送信を開始可能であると判断した場合、上りリンクデータ送信の開始に関する通知を他のユーザ端末に送信する処理を行う制御部を備える。
【００１０】
一つの実施形態に係るユーザ端末は、アンライセンスドバンドを用いて基地局に対する上りリンクデータ送信を行う。前記ユーザ端末は、前記アンライセンスドバンドの監視結果に基づいて上りリンクデータ送信を開始可能であると判断した他のユーザ端末から、上りリンクデータ送信の開始に関する通知を受信する受信部と、前記通知に基づいて、前記ユーザ端末における上りリンクデータ送信の開始タイミングを前記他のユーザ端末における上りリンクデータの送信を開始するタイミングと一致させる制御を行う制御部と、を備える。
【００１１】
一つの実施形態に係る基地局は、アンライセンスドバンドを用いてユーザ端末からの上りリンクデータ受信を行う。前記基地局は、前記アンライセンスドバンドの監視結果に基づいて上りリンクデータ送信を開始可能であると判断した前記ユーザ端末から、上りリンクデータ送信の開始に関する通知を受信する受信部と、前記通知に基づいて、前記ユーザ端末における上りリンクデータ送信の開始タイミングを判断する制御部と、を備える。
【図面の簡単な説明】
【００１２】
【図１】ＬＴＥシステムの構成を示す図である。
【図２】ＬＴＥシステムにおける無線インターフェイスのプロトコルスタック図である。
【図３】ＬＴＥシステムで使用される無線フレームの構成図である。
【図４】ＬＡＡを説明するための図である。
【図５】ＬＢＥ方式のＬＢＴの一例を示すフロー図である。
【図６】ＵＥのブロック図である。
【図７】ｅＮＢのブロック図である。
【図８】第１実施形態乃至第５実施形態に係る動作環境の一例を示す図である。
【図９】上りリンク送信動作の第１の例を示す図である。
【図１０】上りリンク送信動作の第２の例を示す図である。
【図１１】第１実施形態に係る特定の信号の送信例１を示す図である。
【図１２】第２実施形態に係る特定の信号の送信例２を示す図である。
【図１３】第２実施形態に係る複数の候補タイミングを説明するための図である。
【図１４】第４実施形態に係る動作の一例を示す図である。
【図１５】第５実施形態に係る動作の一例を示す図である。
【図１６】第６実施形態に係る動作の一例を示すシーケンス図である。
【図１７】実施形態の付記に係る図である。
【図１８】実施形態の付記に係る図である。
【発明を実施するための形態】
【００１３】
［実施形態の概要］
第１実施形態に係るユーザ端末は、アンライセンスドバンドを用いて基地局に上りリンクデータを送信する。前記ユーザ端末は、前記アンライセンスドバンドの監視結果に応じてサブフレームの途中から上りリンクデータ送信を開始する場合、前記上りリンクデータとは異なる特定の信号を当該上りリンクデータの先頭で送信する処理を行う制御部を備える。
【００１４】
第１実施形態において、前記制御部は、前記アンライセンスドバンドのうち、前記基地局から割り当てられた周波数リソースの範囲内でのみ、前記特定の信号を送信する処理を行う。
【００１５】
第１実施形態において、前記制御部は、１サブフレームよりも長い時間長にわたって上りリンクデータ送信を継続する場合、１サブフレームの時間長ごとに、前記上りリンクデータとは異なる所定の信号又は前記特定の信号を送信する処理を行う。
【００１６】
第２実施形態に係るユーザ端末は、アンライセンスドバンドを用いて基地局に上りリンクデータを送信する。前記ユーザ端末は、前記アンライセンスドバンドの監視結果に応じて、１つのサブフレームに設定された複数の候補タイミングのうち１つを選択し、選択した候補タイミングで前記上りリンクデータの送信を開始する制御部を備える。
【００１７】
第２実施形態において、前記１つのサブフレームは、復調用参照信号が設けられる複数の区間を含み、前記複数の候補タイミングのそれぞれは、前記複数の区間のうち最後の区間よりも前の位置に設定される。
【００１８】
第３実施形態に係る基地局は、アンライセンスドバンドを用いて上りリンクデータを送信するユーザ端末との通信を行う。前記基地局は、前記ユーザ端末が前記アンライセンスドバンドの監視結果に応じてサブフレーム境界を跨いで上りリンクデータ送信を行う場合、前記アンライセンスドバンド内の同一の周波数リソースを前記ユーザ端末に連続的に一定期間割り当てる制御部を備える。
【００１９】
第４実施形態に係る基地局は、アンライセンスドバンドを用いて上りリンクデータを送信するユーザ端末との通信を行う。前記基地局は、前記ユーザ端末が前記アンライセンスドバンドの監視結果に応じてサブフレーム境界を跨いで上りリンクデータ送信を行う場合、連続する複数のサブフレームを前記ユーザ端末に割り当てる制御部を備える。
【００２０】
第４実施形態において、前記制御部は、前記連続する複数のサブフレームのうち最初のサブフレームに対応する割り当て情報を前記ユーザ端末に送信する際に、前記連続する複数のサブフレームのうち前記最初のサブフレームに後続するサブフレームの情報を前記割り当て情報に含める。
【００２１】
第５実施形態に係る基地局は、アンライセンスドバンドを用いて上りリンクデータを送信するユーザ端末との通信を行う。前記基地局は、前記アンライセンスドバンドに含まれる周波数リソースを第１のユーザ端末に割り当てた後、前記周波数リソースを第２のユーザ端末に割り当てる場合、前記第１のユーザ端末への割り当て期間が終了してから一定の時間間隔をおいて前記第２のユーザ端末に前記周波数リソースを割り当てる制御部を備える。
【００２２】
第６実施形態に係るユーザ端末は、アンライセンスドバンドを用いて基地局に対する上りリンクデータ送信を行う。前記ユーザ端末は、前記アンライセンスドバンドの監視結果に基づいて上りリンクデータ送信を開始可能であると判断した場合、上りリンクデータ送信の開始に関する通知を他のユーザ端末に送信する処理を行う制御部を備える。
【００２３】
第６実施形態に係るユーザ端末は、アンライセンスドバンドを用いて基地局に対する上りリンクデータ送信を行う。前記ユーザ端末は、前記アンライセンスドバンドの監視結果に基づいて上りリンクデータ送信を開始可能であると判断した他のユーザ端末から、上りリンクデータ送信の開始に関する通知を受信する受信部と、前記通知に基づいて、前記ユーザ端末における上りリンクデータ送信の開始タイミングを前記他のユーザ端末と一致させる制御を行う制御部と、を備える。
【００２４】
第６実施形態に係る基地局は、アンライセンスドバンドを用いてユーザ端末からの上りリンクデータ受信を行う。前記基地局は、前記アンライセンスドバンドの監視結果に基づいて上りリンクデータ送信を開始可能であると判断した前記ユーザ端末から、上りリンクデータ送信の開始に関する通知を受信する受信部と、前記通知に基づいて、前記ユーザ端末における上りリンクデータ送信の開始タイミングを判断する制御部と、を備える。
【００２５】
［移動通信システム］
以下において、実施形態に係る移動通信システムであるＬＴＥシステムについて説明する。
【００２６】
（システム構成）
図１は、ＬＴＥシステムの構成を示す図である。図１に示すように、ＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００２７】
ＵＥ１００は、ユーザ端末に相当する。ＵＥ１００は、移動型の通信装置であり、セル（サービングセル）との無線通信を行う。ＵＥ１００の構成については後述する。
【００２８】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００２９】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータ（以下、単に「データ」という）のルーティング機能、モビリティ制御・スケジューリングのための測定制御機能等を有する。「セル」は、無線通信エリアの最小単位を示す用語として使用される他に、ＵＥ１００との無線通信を行う機能を示す用語としても使用される。
【００３０】
ＥＰＣ２０は、コアネットワークに相当する。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御等を行う。Ｓ−ＧＷは、データの転送制御を行う。ＭＭＥ／Ｓ−ＧＷ３００は、Ｓ１インターフェイスを介してｅＮＢ２００と接続される。Ｅ−ＵＴＲＡＮ１０及びＥＰＣ２０は、ネットワークを構成する。
【００３１】
図２は、ＬＴＥシステムにおける無線インターフェイスのプロトコルスタック図である。図２に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００３２】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してデータ及び制御信号が伝送される。
【００３３】
ＭＡＣ層は、データの優先制御、ハイブリッドＡＲＱ（ＨＡＲＱ）による再送処理、及びランダムアクセス手順等を行う。ＵＥ１００のＭＡＣ層とｅＮＢ２００のＭＡＣ層との間では、トランスポートチャネルを介してデータ及び制御信号が伝送される。ｅＮＢ２００のＭＡＣ層は、上下リンクのトランスポートフォーマット（トランスポートブロックサイズ（ＴＢＳ）、変調・符号化方式（ＭＣＳ））及びＵＥ１００への割当リソースブロックを決定するスケジューラを含む。
【００３４】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してデータ及び制御信号が伝送される。
【００３５】
ＰＤＣＰ層は、ヘッダ圧縮・伸張、及び暗号化・復号化を行う。
【００３６】
ＲＲＣ層は、制御信号を取り扱う制御プレーンでのみ定義される。ＵＥ１００のＲＲＣ層とｅＮＢ２００のＲＲＣ層との間では、各種設定のためのメッセージ（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッド状態であり、そうでない場合、ＵＥ１００はＲＲＣアイドル状態である。
【００３７】
ＲＲＣ層の上位に位置するＮＡＳ（Ｎｏｎ−Ａｃｃｅｓｓ  Ｓｔｒａｔｕｍ）層は、セッション管理及びモビリティ管理等を行う。
【００３８】
図３は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００３９】
図３に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのシンボル及び１つのサブキャリアにより１つのリソースエレメント（ＲＥ）が構成される。また、ＵＥ１００に割り当てられる無線リソース（時間・周波数リソース）のうち、周波数リソースはリソースブロックにより特定でき、時間リソースはサブフレーム（又はスロット）により特定できる。
【００４０】
下りリンクにおいて、各サブフレームの先頭数シンボルの区間は、主に下りリンク制御信号（ＤＣＩ：Ｄｏｗｎｌｉｎｋ  Ｃｏｎｔｒｏｌ  Ｉｎｆｏｒｍａｔｉｏｎ）を伝送するための物理下りリンク制御チャネル（ＰＤＣＣＨ）として使用される領域である。ＰＤＣＣＨの詳細については後述する。また、各サブフレームの残りの部分は、主に下りリンクデータを伝送するための物理下りリンク共有チャネル（ＰＤＳＣＨ）として使用できる領域である。
【００４１】
上りリンクにおいて、各サブフレームにおける周波数方向の両端部は、主に上りリンク制御信号を伝送するための物理上りリンク制御チャネル（ＰＵＣＣＨ）として使用される領域である。各サブフレームにおける残りの部分は、主に上りリンクデータを伝送するための物理上りリンク共有チャネル（ＰＵＳＣＨ）として使用できる領域である。
【００４２】
（アンライセンスドバンド）
実施形態に係るＬＴＥシステムは、オペレータに免許が付与されたライセンスドバンドだけではなく、免許が不要なアンライセンスドバンドもＬＴＥ通信に使用する。具体的には、ライセンスドバンドの補助によりアンライセンスドバンドにアクセス可能とする。このような仕組みは、ｌｉｃｅｎｓｅｄ−ａｓｓｉｓｔｅｄ  ａｃｃｅｓｓ（ＬＡＡ）と称される。
【００４３】
図４は、ＬＡＡを説明するための図である。図４に示すように、ｅＮＢ２００は、ライセンスドバンドで運用されるセル＃１と、アンライセンスドバンドで運用されるセル＃２と、を管理している。図４において、セル＃１がマクロセルであり、セル＃２が小セルである一例を図示しているが、セルサイズはこれに限定されない。
【００４４】
ＵＥ１００は、セル＃１及びセル＃２の重複エリアに位置する。ＵＥ１００は、セル＃１をプライマリセル（ＰＣｅｌｌ）として設定しつつ、セル＃２をセカンダリセル（ＳＣｅｌｌ）として設定し、キャリアアグリゲーション（ＣＡ）による通信を行う。
【００４５】
図４の例では、ＵＥ１００は、上りリンク通信及び下りリンク通信をセル＃１と行い、上りリンク通信及び下りリンク通信をセル＃２と行う。このようなキャリアアグリゲーションにより、ＵＥ１００には、ライセンスドバンドの無線リソースに加えて、アンライセンスドバンドの無線リソースが提供されるため、スループットを向上させることができる。アンライセンスドバンドにおけるリソース割り当て情報については、ｅＮＢ２００は、ライセンスドバンドを介してＵＥ１００に通知する、又はアンライセンスドバンドを介してＵＥ１００に通知する。
【００４６】
実施形態においては、セル＃２（アンライセンスドバンド）における上りリンク通信について主として説明する。
【００４７】
（ＬＢＴ）
アンライセンスドバンドにおいて、ＬＴＥシステムとは異なる他システム（無線ＬＡＮ等）又は他オペレータのＬＴＥシステムとの干渉を回避するために、ＬＢＴ手順が要求される。ＬＢＴには、ＦＢＥ（Ｆｒａｍｅ  Ｂａｓｅｄ  Ｅｑｕｉｐｍｅｎｔ）方式及びＬＢＥ（Ｌｏａｄ  Ｂａｓｅｄ  Ｅｑｕｉｐｍｅｎｔ）方式の２つの方式がある。ＦＢＥ方式は、タイミングが固定された方式である。これに対し、ＬＢＥ方式は、タイミングが固定されていない方式である。
【００４８】
以下の実施形態においては、アンライセンスドバンドにおける上りリンク通信にＬＢＥ方式が適用される場合を想定する。図５は、ＬＢＥ方式のＬＢＴの一例を示すフロー図である。ＵＥ１００は、アンライセンスドバンド内の対象周波数（対象キャリア）について本フローを実行する。
【００４９】
図５に示すように、ＵＥ１００は、対象周波数を監視し、受信電力（干渉電力）に基づいて対象周波数が空きであるか否かを判定する（ステップＳ１）。このような判定は、ＣＣＡ（Ｃｌｅａｒ  Ｃｈａｎｎｅｌ  Ａｓｓｅｓｓｍｅｎｔ）と称される。具体的には、ＵＥ１００は、検知した電力が閾値よりも大きい状態が一定時間（図の例では２０μｓ）以上持続する場合、対象周波数が使用中（Ｂｕｓｙ）であると判定する。そうでない場合、ＵＥ１００は、対象周波数が空き（Ｉｄｌｅ）であると判定し、対象周波数を用いてｅＮＢ２００に上りリンクデータを送信する（ステップＳ２）。
【００５０】
ＵＥ１００は、このような初期ＣＣＡの結果、対象周波数が使用中（Ｂｕｓｙ）であると判定した場合、ＥＣＣＡ（Ｅｘｔｅｎｄｅｄ  Ｃｌｅａｒ  Ｃｈａｎｎｅｌ  Ａｓｓｅｓｓｍｅｎｔ）処理に移行する。ＥＣＣＡ処理において、ＵＥ１００は、初期値がＮであるカウンタ（Ｎ）を設定する（ステップＳ３）。Ｎは、４から３２までの間の乱数である。ＵＥ１００は、ＣＣＡが成功するごとにＮをデクリメント（すなわち、１を減算）する（ステップＳ５、Ｓ６）。ＵＥ１００は、Ｎが０に達すると（ステップＳ４：Ｎｏ）、対象周波数が空き（Ｉｄｌｅ）であると判定し、対象周波数を用いてｅＮＢ２００に上りリンクデータを送信する（ステップＳ２）。
【００５１】
（ユーザ端末）
以下において、実施形態に係るＵＥ１００（ユーザ端末）の構成について説明する。図６は、ＵＥ１００のブロック図である。図６に示すように、ＵＥ１００は、受信部１１０、送信部１２０、及び制御部１３０を備える。
【００５２】
受信部１１０は、制御部１３０の制御下で各種の受信を行う。受信部１１０は、アンテナ及び受信機を含む。受信機は、アンテナが受信する無線信号をベースバンド信号（受信信号）に変換して制御部１３０に出力する。受信部１１０は、ライセンスドバンドにおいて無線信号を受信する第１の受信機と、アンライセンスドバンドにおいて無線信号を受信する第２の受信機と、を含んでもよい。
【００５３】
送信部１２０は、制御部１３０の制御下で各種の送信を行う。送信部１２０は、アンテナ及び送信機を含む。送信機は、制御部１３０が出力するベースバンド信号（送信信号）を無線信号に変換してアンテナから送信する。送信部１２０は、ライセンスドバンドにおいて無線信号を送信する第１の送信機と、アンライセンスドバンドにおいて無線信号を送信する第２の送信機と、を含んでもよい。
【００５４】
制御部１３０は、ＵＥ１００における各種の制御を行う。制御部１３０は、プロセッサ及びメモリを含む。メモリは、プロセッサにより実行されるプログラム、及びプロセッサによる処理に使用される情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサは、音声・映像信号の符号化・復号を行うコーデックを含んでもよい。プロセッサは、後述する各種の処理及び上述した各種の通信プロトコルを実行する。
【００５５】
（基地局）
以下において、ｅＮＢ２００（基地局）の構成について説明する。図７は、ｅＮＢ２００のブロック図である。図７に示すように、ｅＮＢ２００は、送信部２１０、受信部２２０、制御部２３０、及びバックホール通信部２４０を備える。
【００５６】
送信部２１０は、制御部２３０の制御下で各種の送信を行う。送信部２１０は、アンテナ及び送信機を含む。送信機は、制御部２３０が出力するベースバンド信号（送信信号）を無線信号に変換してアンテナから送信する。送信部２１０は、ライセンスドバンドにおいて無線信号を送信する第１の送信機と、アンライセンスドバンドにおいて無線信号を送信する第２の送信機と、を含んでもよい。
【００５７】
受信部２２０は、制御部２３０の制御下で各種の受信を行う。受信部２２０は、アンテナ及び受信機を含む。受信機は、アンテナが受信する無線信号をベースバンド信号（受信信号）に変換して制御部２３０に出力する。受信部２２０は、ライセンスドバンドにおいて無線信号を受信する第１の受信機と、アンライセンスドバンドにおいて無線信号を受信する第２の受信機と、を含んでもよい。
【００５８】
制御部２３０は、ｅＮＢ２００における各種の制御を行う。制御部２３０は、プロセッサ及びメモリを含む。メモリは、プロセッサにより実行されるプログラム、及びプロセッサによる処理に使用される情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサは、後述する各種の処理及び上述した各種の通信プロトコルを実行する。
【００５９】
バックホール通信部２４０は、Ｘ２インターフェイスを介して隣接ｅＮＢ２００と接続され、Ｓ１インターフェイスを介してＭＭＥ／Ｓ−ＧＷ３００と接続される。バックホール通信部２４０は、Ｘ２インターフェイス上で行う通信及びＳ１インターフェイス上で行う通信等に使用される。
【００６０】
［第１実施形態］
以下において、第１実施形態について説明する。
【００６１】
（動作環境の一例）
図８は、第１実施形態に係る動作環境の一例を示す図である。図８に示すように、ｅＮＢ２００のセルにＲＲＣコネクティッドモードのＵＥ１００（Ａ）及びＵＥ１００（Ｂ）が位置している。当該セルは、アンライセンスドバンド内の周波数に属するセルである。ＵＥ１００（Ａ）及びＵＥ１００（Ｂ）のそれぞれは、ＬＢＥ方式のＬＢＴを行い、ｅＮＢ２００に上りリンクデータを送信する。図８において、ＵＥ１００（Ｂ）の近傍にＷＬＡＮ機器（ＷｉＦｉ  １）が位置しており、ＵＥ１００（Ｂ）がＷＬＡＮ機器から干渉の影響を受ける一例を示している。
【００６２】
図９及び図１０は、図８に示す動作環境における各ＵＥ１００の上りリンク送信動作を占めす図である。図９は上りリンク送信動作の第１の例を示し、図１０は上りリンク送信動作の第２の例を示す。
【００６３】
図９に示すように、各ＵＥ１００は、上述したようなＬＢＥ方式のＬＢＴを行う際に、ＥＣＣＡ処理を行う。各ＵＥ１００は独自にＬＢＥのカウンタ（Ｎ）を保持しているため、上りリンクの送信開始タイミングがＵＥ１００毎にずれる可能性がある。ここで、ＵＥ１００（Ｂ）のＬＢＥのカウンタは「８」であり、ＣＣＡを３回成功した後に２回失敗しており、さらにＣＣＡを５回成功した後に上りリンク送信（Ｔｘ）を行う。ＵＥ１００（Ｂ）の上りリンク送信開始タイミングは、ＵＥ１００（Ａ）の上りリンク送信開始タイミングよりも後である。
【００６４】
上りリンク送信動作の第１の例においては、各ＵＥ１００は、アンライセンスドバンドの監視（すなわち、ＣＣＡ）結果に応じて、サブフレーム境界（言い換えると、連続する２つのサブフレームの境目であってもよく、以下同様）を跨いでデータ送信を行う。言い換えると、各ＵＥ１００は、アンライセンスドバンドの監視（すなわち、ＣＣＡ）結果に応じて、一のサブフレーム内の所定の位置から、当該一のサブフレームに連続する他のサブフレームの所定の位置まで連続してデータ送信を行う。以下、同様の表現については、前文と同様の意味を有していてもよい。各ＵＥ１００は、上りリンク送信開始タイミングから所定の送信期間にわたってデータ送信を継続する。所定の送信期間は、サブフレームの時間長（１ｍｓ）と等しい期間である。図９において、各ＵＥ１００が２つの送信期間にわたってデータ送信を継続する一例を示している。
【００６５】
一般的なＬＴＥの上りリンクは、ｅＮＢ２００がサブフレーム単位で各ＵＥ１００に上りリンク無線リソースを割り当てて上りリンク送信を行うことを前提としている。しかしながら、サブフレーム境界を跨いで各ＵＥ１００が上りリンクデータ送信を行う場合、サブフレーム単位での上りリンク無線リソースの割り当てを行うことが難しい。
【００６６】
図１０に示す上りリンク送信動作の第２の例は、各ＵＥ１００がサブフレーム境界で上りリンク送信を終了する例である。第２の例によれば、第１の例に比べて上りリンク無線リソースの割り当てが容易である。しかしながら、第１の例と同様に、上りリンクの送信開始タイミングがＵＥ１００毎にずれるため、ｅＮＢ２００が各ＵＥ１００の上りリンク送信開始タイミングを把握することが難しい。また、あるＵＥ１００に１つのサブフレームが割り当てられても、ＥＣＣＡ処理に起因して、当該ＵＥ１００が当該サブフレームにおいて上りリンク送信を行うことができない可能性がある。
【００６７】
（第１実施形態に係る動作）
第１実施形態は、ｅＮＢ２００が各ＵＥ１００の上りリンク送信開始タイミングを把握可能とする動作に関する実施形態である。
【００６８】
第１実施形態に係るＵＥ１００は、アンライセンスドバンドを用いてｅＮＢ２００に上りリンクデータを送信する。ＵＥ１００は、アンライセンスドバンドの監視結果（ＣＣＡ結果）に応じてサブフレームの途中から上りリンクデータ送信を開始する場合、上りリンクデータとは異なる特定の信号（以下、「Ｉｎｉｔｉａｌ  ｓｉｇｎａｌ」と称する）を当該上りリンクデータの先頭で送信する。言い換えると、特定の信号をＵＥ１００が上りリンクデータを送信可能な期間の最初に送信し、その後に続いて、上りリンクデータを送信すること又は上りリンクデータの一部として特定の信号を送信することを意味してもよい。
【００６９】
ここで「Ｉｎｉｔｉａｌ  ｓｉｇｎａｌ」とは、例えば同期信号及び／又は制御チャネル信号である。制御チャネル信号は、ＵＥ１００の識別子（例えばＣ−ＲＮＴＩ）又はセルの識別子（Ｐｈｙｓｉｃａｌ  Ｃｅｌｌ  ＩＤ）を用いてマスキングされていてもよい。ｅＮＢ２００は、ＵＥ１００からの同期信号を検出することにより、サブフレームの途中において上りリンクデータの先頭を検出することができる。或いは、ｅＮＢ２００は、ＵＥ１００からの制御チャネル信号をブラインド復号により復号することにより、サブフレームの途中において上りリンクデータの先頭を検出することができる。なお、ＵＥ１００は、サブフレーム先頭から上りリンクデータ送信を開始する場合、「Ｉｎｉｔｉａｌ  ｓｉｇｎａｌ」を送信しなくてもよい。
【００７０】
第１実施形態において、ＵＥ１００は、アンライセンスドバンドのうち、ｅＮＢ２００から割り当てられた周波数リソースの範囲内でのみ、「Ｉｎｉｔｉａｌ  ｓｉｇｎａｌ」を送信する処理を行う。これにより、「Ｉｎｉｔｉａｌ  ｓｉｇｎａｌ」に起因する干渉の発生を抑制することができる。
【００７１】
図１１は、「Ｉｎｉｔｉａｌ  ｓｉｇｎａｌ」の送信例１を示す図である。図１１において、リソースブロック（ＲＢ）単位で周波数リソース割り当てが行われる一例を示している。しかしながら、リソースブロック（ＲＢ）単位に限らず、サブキャリア単位での割り当てであってもよい。また、各ＵＥに１つのリソースブロックが割り当てられる一例を示しているが、各ＵＥに複数のリソースブロックが割り当てられてもよい。図１１に示すように、各ＵＥ１００は、ＣＣＡ結果に応じて、ｅＮＢ２００から割り当てられたリソースブロックを用いて上りリンクデータを送信する。各ＵＥ１００は、「Ｉｎｉｔｉａｌ  ｓｉｇｎａｌ」を当該上りリンクデータの先頭で送信する。
【００７２】
図１２は、「Ｉｎｉｔｉａｌ  ｓｉｇｎａｌ」の送信例２を示す図である。図１２において、サブキャリア単位で周波数リソース割り当てが行われる一例を示している。具体的には、各ＵＥ１００は、ｅＮＢ２００からサブキャリアが櫛の歯状に割り当てられる。例えば、あるＵＥ１００には奇数番のサブキャリアが割り当てられ、他のＵＥ１００には偶数番のサブキャリアが割り当てられる。但し、サブキャリア単位に限らず、リソースブロックが櫛の歯状に割り当てられてもよい。また、櫛の歯状のサブキャリアの周波数間隔が１サブキャリア間隔である一例を示しているが、１サブキャリア間隔に限らず、複数サブキャリア間隔であってもよい。図１２に示すように、各ＵＥ１００は、ＣＣＡ結果に応じて、ｅＮＢ２００から割り当てられたサブキャリアを用いて上りリンクデータを送信する。各ＵＥ１００は、「Ｉｎｉｔｉａｌ  ｓｉｇｎａｌ」を当該上りリンクデータの先頭で送信する。
【００７３】
第１実施形態において、ＵＥ１００は、１サブフレームよりも長い時間長にわたって上りリンクデータ送信を継続する場合、１サブフレームの時間長ごとに、上りリンクデータとは異なる所定の信号を送信する。当該所定の信号は、上述した「Ｉｎｉｔｉａｌ  ｓｉｇｎａｌ」と同様に、同期信号及び／又は制御チャネル信号であってもよい。所定の信号が同期信号である場合、「Ｉｎｉｔｉａｌ  ｓｉｇｎａｌ」に適用される信号系列とは異なる信号系列が所定の信号に適用されてもよい。所定の信号が制御チャネル信号である場合、当該所定の信号に続く上りリンクデータが最初の送信ではないことを示す情報が所定の信号に含まれてもよい。
【００７４】
図９のような状況を想定すると、各ＵＥ１００は、ＣＣＡ結果に応じた最初の送信期間の先頭で特定の信号をｅＮＢ２００に送信する。しかしながら、ｅＮＢ２００は、特定の信号の検出に失敗し得る。ｅＮＢ２００は、特定の信号の検出に失敗した場合、最初の送信期間における上りリンクデータを受信できないだけでなく、後続する送信期間の上りリンクデータも受信することができない。各ＵＥ１００が１サブフレームの時間長ごとに特定の信号を送信することにより、ｅＮＢ２００は、当該後続する送信期間の上りリンクデータを受信可能になる。
【００７５】
ｅＮＢ２００は、「Ｉｎｉｔｉａｌ  ｓｉｇｎａｌ」の送信指示をＰＤＣＣＨによりＵＥ１００に行ってもよい。具体的には、ｅＮＢ２００は、「Ｉｎｉｔｉａｌ  ｓｉｇｎａｌ」の送信指示を示す情報を下りリンク制御情報（ＤＣＩ）に含める。ＤＣＩは、アンライセンスドバンド内でＵＥ１００に送信される、又は、ライセンスドバンド内でＵＥ１００に送信（すなわち、クロスキャリアスケジューリング）される。ｅＮＢ２００は、「Ｉｎｉｔｉａｌ  ｓｉｇｎａｌ」の送信指示と同様に、所定の信号の送信指示も行ってもよい。
【００７６】
［第２実施形態］
第２実施形態について、第１実施形態との相違点を主として説明する。第２実施形態は、第１実施形態と同様に、ｅＮＢ２００が各ＵＥ１００の上りリンク送信開始タイミングを把握可能とする動作に関する実施形態である。
【００７７】
第２実施形態に係るＵＥ１００は、アンライセンスドバンドのＣＣＡ結果に応じて、１つのサブフレームに設定された複数の候補タイミングのうち１つを選択し、選択した候補タイミングで上りリンクデータの送信を開始する。複数の候補タイミングは、ｅＮＢ２００からＵＥ１００に設定される。或いは、複数の候補タイミングは、ＬＴＥシステムの仕様により予め規定される。このように、ＵＥ１００が上りリンクデータの送信を開始可能な候補タイミングを限定することにより、ｅＮＢ２００は、各候補タイミングで上りリンクデータの受信を試みることができる。
【００７８】
第２実施形態において、サブフレームは、復調用参照信号（ＤＭＲＳ）が設けられる複数の区間を含み、複数の候補タイミングのそれぞれは、複数の区間のうちの最後の区間よりも前の位置に設定される。
【００７９】
図１３は、第２実施形態に係る複数の候補タイミングを説明するための図である。図１３に示すように、サブフレームに４つの候補タイミング（タイミング＃１乃至＃４）が設定されている。候補タイミング＃１はサブフレームの先頭タイミングであり、候補タイミング＃２は前半スロットの途中のタイミングであり、候補タイミング＃３は後半スロットの先頭タイミングであり、候補タイミング＃４は後半スロットの途中のタイミングである。また、サブフレームは、前半スロット及び後半スロットのそれぞれにＤＭＲＳ区間を有する。候補タイミング＃１乃至＃４のそれぞれは、後半スロットのＤＭＲＳ区間よりも前の位置に設定される。これにより、ＵＥ１００は、候補タイミング＃１乃至＃４の何れで上りリンクデータの送信を開始しても、少なくとも１回ＤＭＲＳを送信することができる。よって、ｅＮＢ２００が上りリンクデータを適切に復調することができる。
【００８０】
［第３実施形態］
第３実施形態について、第１実施形態及び第２実施形態との相違点を主として説明する。第３実施形態は、図９に示したような上りリンク送信動作の第１の例を想定する。すなわち、各ＵＥ１００は、ＣＣＡ結果に応じてサブフレーム境界を跨いでデータ送信を行う。
【００８１】
第３実施形態に係るｅＮＢ２００は、ＵＥ１００がＣＣＡ結果に応じてサブフレーム境界を跨いで上りリンクデータ送信を行う場合、アンライセンスドバンド内の同一の周波数リソースを同一のＵＥ１００に連続的に一定期間割り当てる。当該一定期間は、例えばサブフレームの時間長の整数倍である。これにより、当該一定期間の間は、ｅＮＢ２００は、当該周波数におけるスケジューリングが不要となり、且つ、各ＵＥ１００の送信が衝突することを回避することができる。ｅＮＢ２００は、当該一定期間の最初のサブフレーム及び最後のサブフレームにのみ割り当て情報（ＤＣＩ）をＵＥ１００に送信してもよい。すなわち、ｅＮＢ２００は、当該一定期間の最初のサブフレームにおいて周波数リソースをＤＣＩによりＵＥ１００に通知した後、当該一定期間の最後のサブフレームにおいて当該一定期間の終了をＤＣＩによりＵＥ１００に通知する。なお、このような割り当て方法は、ＬＢＥ方式のＬＢＴが適用される場合に限定してもよい。
【００８２】
［第４実施形態］
第４実施形態について、第１実施形態乃至第３実施形態との相違点を主として説明する。第４実施形態は、第３実施形態と同様に、図９に示したような上りリンク送信動作の第１の例を想定する。すなわち、各ＵＥ１００は、ＣＣＡ結果に応じてサブフレーム境界を跨いでデータ送信を行う。
【００８３】
第４実施形態に係るｅＮＢ２００は、ＵＥ１００がアンライセンスドバンドのＣＣＡ結果に応じてサブフレーム境界を跨いで上りリンクデータ送信を行う場合、連続する複数のサブフレームをＵＥ１００に割り当てる。これにより、ＵＥ１００がサブフレーム境界を跨いで上りリンクデータ送信を行う場合でも、各ＵＥ１００の送信が衝突することを回避することができる。
【００８４】
図１４は、第４実施形態に係る動作の一例を示す図である。図１４に示すように、ｅＮＢ２００は、ＵＥ１００がＣＣＡ（特に、ＥＣＣＡ）に必要とする時間を加味して、連続する複数のサブフレームを時間リソースの割り当て単位としてＵＥ１００に割り当てる。ｅＮＢ２００は、連続する複数のサブフレームのうち最初のサブフレームに対応する割り当て情報（ＤＣＩ）をＵＥ１００に送信する際に、当該連続する複数のサブフレームのうち最初のサブフレームに後続するサブフレームの情報を割り当て情報に含めてもよい。「後続するサブフレームの情報」とは、後続するサブフレームの数を示す情報、後続するサブフレーム用のＭＣＳ、ＴＢＳ、新データ指示子（ＮＤＩ）、ＨＡＲＱプロセスＩＤ、ＲＢ数、送信モードのうち、少なくとも１つである。ＵＥ１００は、割り当て情報により示されるリソース割り当て（周波数リソース、ＭＣＳ等）が当該後続するサブフレームにも適用されることを認識する。また、ＵＥ１００は、連続する複数のサブフレームのうち最初のサブフレームの前でのみＣＣＡ処理が必要となる。このため、ｅＮＢ２００は、最初のサブフレームの割り当てであるか否かを示す情報を割り当て情報（ＤＣＩ）に含めてもよい。また、ｅＮＢ２００は、最後のサブフレームの割り当てであるかことを示す情報をＤＣＩに含めてもよい。各ＵＥ１００は、連続する複数のサブフレームからなる割り当て期間内でＣＣＡ及び上りリンクデータ送信を行う。
【００８５】
この場合、ＣＣＡ向けの割り当てサブフレーム、すなわち、上りリンク送信に使用されない可能性のあるサブフレームが発生するため、リソース利用効率が低下し得る。このため、ｅＮＢ２００は、例えば、互いに離れている複数のＵＥ１００に同一の周波数リソースを割り当てつつ、当該複数のＵＥ１００に同一の時間リソース（連続する複数のサブフレーム）を割り当ててもよい。
【００８６】
第４実施形態において、各ＵＥ１００は、例えばｅＮＢ２００からの設定により、ＥＣＣＡの期間を最大１サブフレームまでに制限されてもよい。各ＵＥ１００は、ＥＣＣＡが１サブフレームの時間長を超える場合は、次の送信機会（次の連続サブフレーム)まで待つ。すなわち、ＵＥ１００は、１サブフレーム以上待っても送信することができなければ、ｅＮＢ２００から割り当てられた連続サブフレームでのデータ送信を行わない。この場合、ＵＥ１００は、当該１サブフレームの経過後に、当該連続サブフレームでのデータ送信を行わない旨をｅＮＢ２００に通知してもよい。当該通知は、ライセンスドバンド上で行われてもよい。ｅＮＢ２００は、ＵＥ１００により使用されないサブフレームを他のＵＥ１００に割り当ててもよい。
【００８７】
［第５実施形態］
第５実施形態について、第１実施形態乃至第４実施形態との相違点を主として説明する。
【００８８】
上述したように、ＣＣＡ（特に、ＥＣＣＡ）に起因して、ｅＮＢ２００は、同一の周波数リソースを次のサブフレームで別のＵＥ１００に割り当てることが難しい。
【００８９】
第５実施形態に係るｅＮＢ２００は、アンライセンスドバンドに含まれる周波数リソースを第１のＵＥ１００に割り当てた後、当該周波数リソースを第２のＵＥ１００に割り当てる場合、第１のＵＥ１００への割り当て期間が終了してから一定の時間間隔をおいて第２のＵＥ１００に当該周波数リソースを割り当てる。これにより、特にＵＥ１００がサブフレーム境界を跨いで上りリンクデータ送信を行う場合でも、各ＵＥ１００の送信が衝突することを回避することができる。一定の時間間隔は、１サブフレーム以上の時間間隔であってもよい。
【００９０】
図１５は、第５実施形態に係る動作の一例を示す図である。ここでは、リソースブロック単位での周波数リソース割り当てを想定している。図１５に示すように、ｅＮＢ２００は、アンライセンスドバンドに含まれるリソースブロックを第１のＵＥ１００に割り当てた後、当該リソースブロックを第２のＵＥ１００に割り当てる場合、第１のＵＥ１００への割り当て期間が終了してから一定の時間間隔（ギャップ期間）をおいて第２のＵＥ１００に当該リソースブロックを割り当てる。
【００９１】
図１５においては、各リソースブロック（各周波数リソース）についてギャップ期間の時間長を等しくする一例を示している。しかしながら、ギャップ期間の時間長をリソースブロック（周波数リソース）ごとに異ならせてもよい。
【００９２】
また、各リソースブロック（各周波数リソース）について、ギャップ期間の開始位置を揃えてもよい。但し、各リソースブロック（各周波数リソース）について、ギャップ期間の終了位置（すなわち、各ＵＥ１００の送信開始タイミング）は、ＬＢＴを行うことによるズレがあってもよい。
【００９３】
［第６実施形態］
第６実施形態について、第１実施形態乃至第５実施形態との相違点を主として説明する。
【００９４】
第６実施形態は、図９に示したような上りリンク送信動作の第１の例を主として想定する。すなわち、各ＵＥ１００は、ＣＣＡ（ＬＢＴ）結果に応じてサブフレーム境界を跨いでデータ送信を行う。第６実施形態においては、ＵＥ１００間のシグナリングにより、各ＵＥ１００の上りリンクデータ送信の開始タイミングを一致させる。これにより、上述した問題点を解決することができる。
【００９５】
第６実施形態に係るＵＥ１００（Ａ）は、アンライセンスドバンドを用いてｅＮＢ２００に対する上りリンクデータ送信を行う。ＵＥ１００（Ａ）は、アンライセンスドバンドの監視結果に基づいて上りリンクデータ送信を開始可能であると判断した場合、上りリンクデータ送信の開始に関する通知を他のＵＥ１００（Ｂ）に送信する。ＵＥ１００（Ａ）は、他のＵＥ１００（Ｂ）だけではなく、当該通知をｅＮＢ２００に送信してもよい。
【００９６】
第６実施形態において、ＵＥ１００（Ａ）は、上りリンクデータ送信の開始タイミングを示す情報を当該通知に含める。
【００９７】
第６実施形態に係るＵＥ１００（Ｂ）は、アンライセンスドバンドの監視結果に基づいて上りリンクデータ送信を開始可能であると判断した他のＵＥ１００（Ａ）から、上りリンクデータ送信の開始に関する通知を受信する。ＵＥ１００（Ｂ）は、当該通知に基づいて、ＵＥ１００（Ｂ）における上りリンクデータ送信の開始タイミングを他のＵＥ１００（Ａ）と一致させる。
【００９８】
図１６は、第６実施形態に係る動作の一例を示すシーケンス図である。
【００９９】
図１６に示すように、ステップＳ１０１において、ｅＮＢ２００は、ＵＥ１００（Ａ）の上りリンクのスケジューリングを行い、スケジューリング情報をＵＥ１００（Ａ）に送信する。また、ステップＳ１０２において、ｅＮＢ２００は、ＵＥ１００（Ｂ）の上りリンクのスケジューリングを行い、スケジューリング情報をＵＥ１００（Ｂ）に送信する。
【０１００】
スケジューリング情報は、ｅＮＢ２００のＳＣｅｌｌ（すなわち、アンライセンスドバンドのセル）により送信される。或いは、スケジューリング情報は、クロスキャリアスケジューリングにより、ｅＮＢ２００のＰＣｅｌｌ（すなわち、ライセンスドバンドのセル）により送信されてもよい。
【０１０１】
ｅＮＢ２００は、ＵＥ１００（Ａ）がＬＢＴにより上りリンクデータ送信を開始可能であると判断してから上りリンクデータ送信を開始するまでの待ち時間を示す情報（例えば、タイマ値）をＵＥ１００（Ａ）に送信してもよい。待ち時間は、後述するステップＳ１０５とステップＳ１０９との間の時間を指定するものである。待ち時間を示す情報は、ＤＣＩによりスケジューリング情報と共に送信されてもよいし、ＲＲＣシグナリングにより送信されてもよい。
【０１０２】
ｅＮＢ２００は、ＵＥ１００（Ａ）及びＵＥ１００（Ｂ）を同一のグループに属するＵＥ１００として管理してもよい。この場合、ｅＮＢ２００は、無線環境が似通ったＵＥ１００（例えば、地理的に近いＵＥ１００）をグループ化することが好ましい。ｅＮＢ２００は、同一のグループに属する各ＵＥ１００に同一の識別情報（グループＩＤ）を割り当てる。
【０１０３】
ステップＳ１０３において、ＵＥ１００（Ａ）は、図５に示したようなＬＢＴ手順を開始する。また、ステップＳ１０４において、ＵＥ１００（Ｂ）は、図５に示したようなＬＢＴ手順を開始する。
【０１０４】
ステップＳ１０５において、ＵＥ１００（Ａ）は、ＬＢＴのカウンタの値が所定値（具体的には、ゼロ）になったことに応じて、上りリンクデータ送信を開始可能であると判断する。但し、ＵＥ１００（Ａ）は、ＬＢＴのカウンタの値がゼロでない場合であっても、ゼロになることが見込まれる状況（例えば、カウンタ値が１）であれば、上りリンクデータ送信を開始可能であると判断してもよい。なお、ＵＥ１００（Ｂ）は、この時点では未だ上りリンクデータ送信を開始可能であると判断していない。
【０１０５】
ステップＳ１０６において、ＵＥ１００（Ａ）は、上りリンクデータ送信の開始に関する通知をブロードキャストにより送信する。ＵＥ１００（Ａ）は、上りリンクデータ送信の開始タイミングを示す情報を当該通知に含める。上りリンクデータ送信の開始タイミングは、ｅＮＢ２００により指定された待ち時間に応じて定められてもよい。上りリンクデータ送信の開始タイミングは、サブフレーム番号等の絶対値により表現されてもよいし、何サブフレーム後といったような相対値により表現されてもよい。以下において、このような通知を「Ｔｒａｎｓｍｉｓｓｉｏｎ  Ｔｉｍｅ  Ｉｎｆｏ．」と称する。
【０１０６】
「Ｔｒａｎｓｍｉｓｓｉｏｎ  Ｔｉｍｅ  Ｉｎｆｏ．」の送信タイミングは、サブフレーム境界でなくてもよい。サブフレーム境界に送信タイミングを限定すると、サブフレーム境界まで待機することよって、他の信号（Ｗｉ−Ｆｉや他オペレータ）に割り込まれる可能性がある。このため、ＵＥ１００（Ａ）は、上りリンクデータ送信を開始可能であると判断した場合に、サブフレーム境界を待たずに、サブフレームの途中で「Ｔｒａｎｓｍｉｓｓｉｏｎ  Ｔｉｍｅ  Ｉｎｆｏ．」を送信してもよい。
【０１０７】
「Ｔｒａｎｓｍｉｓｓｉｏｎ  Ｔｉｍｅ  Ｉｎｆｏ．」は、ＵＥ１００（Ａ）が属するグループのグループＩＤを含んでもよい。
【０１０８】
「Ｔｒａｎｓｍｉｓｓｉｏｎ  Ｔｉｍｅ  Ｉｎｆｏ．」は、ＬＢＴを必要としない信号（Ｓｈｏｒｔ  ｃｏｎｔｒｏｌ  ｉｎｆｏｒｍａｔｉｏｎ）により送信される。或いは、「Ｔｒａｎｓｍｉｓｓｉｏｎ  Ｔｉｍｅ  Ｉｎｆｏ．」は、Ｄ２Ｄ（Ｄｅｖｉｃｅ  ｔｏ  Ｄｅｖｉｃｅ）のサイドリンクを用いて送信されてもよい。
【０１０９】
ＵＥ１００（Ｂ）は、「Ｔｒａｎｓｍｉｓｓｉｏｎ  Ｔｉｍｅ  Ｉｎｆｏ．」を受信する。さらに、ｅＮＢ２００が「Ｔｒａｎｓｍｉｓｓｉｏｎ  Ｔｉｍｅ  Ｉｎｆｏ．」を受信してもよい（ステップＳ１０７）。「Ｔｒａｎｓｍｉｓｓｉｏｎ  Ｔｉｍｅ  Ｉｎｆｏ．」を受信したｅＮＢ２００は、「Ｔｒａｎｓｍｉｓｓｉｏｎ  Ｔｉｍｅ  Ｉｎｆｏ．」に基づいて、ＵＥ１００（Ａ）における上りリンクデータ送信の開始タイミングを判断する。
【０１１０】
「Ｔｒａｎｓｍｉｓｓｉｏｎ  Ｔｉｍｅ  Ｉｎｆｏ．」を受信したＵＥ１００（Ｂ）は、「Ｔｒａｎｓｍｉｓｓｉｏｎ  Ｔｉｍｅ  Ｉｎｆｏ．」により示される上りリンクデータ送信の開始タイミングまでにＬＢＴを完了させる。
【０１１１】
ステップＳ１０８において、ＵＥ１００（Ａ）は、上りリンクリソースを予約するための信号（Ｒｅｓｅｒｖａｔｉｏｎ  ｓｉｇｎａｌ）を送信してもよい。具体的には、ＬＢＴに成功した周波数帯域に他の装置が割り込まないように、ステップＳ１０９までの間は「Ｒｅｓｅｒｖａｔｉｏｎ  ｓｉｇｎａｌ（Ｒｅｓｅｒｖａｔｉｏｎ  ｃｈａｎｎｅｌ）」を継続的に送信する。「Ｒｅｓｅｒｖａｔｉｏｎ  ｓｉｇｎａｌ」には、同一タイミング送信予定のＵＥ１００（Ｂ）が当該「Ｒｅｓｅｒｖａｔｉｏｎ  ｓｉｇｎａｌ」を取り除くことができるようにするための情報（識別子）を含んでもよい。
【０１１２】
ステップＳ１０９において、ＵＥ１００（Ａ）は、上りリンクデータ送信の開始タイミングにおいて、ｅＮＢ２００に対する上りリンクデータ送信を開始する。ここでは、上りリンクデータ送信の開始タイミングをサブフレーム境界とすることを想定している。この場合、ＵＥ１００（Ａ）は、ＵＥ１００（Ｂ）のＬＢＴを成功させるために、上りリンクデータ送信の開始タイミングに相当するサブフレーム境界直前ではデータを送信せず、サブフレーム境界のみで送信を行う。
【０１１３】
また、ステップＳ１１０において、ＵＥ１００（Ｂ）は、ＵＥ１００（Ａ）から通知された上りリンクデータ送信の開始タイミングにおいて、ｅＮＢ２００に対する上りリンクデータ送信を開始する。
【０１１４】
このように、本シーケンスによれば、最も早くＬＢＴに成功したＵＥ１００（Ａ）を起点として、ＵＥ１００（Ａ）及びＵＥ１００（Ｂ）における上りリンクデータ送信の開始タイミングを揃えることができる。
【０１１５】
［第６実施形態の変更例１］
ｅＮＢ２００は、グループごとに上りリンクデータ送信回数を管理し、上りリンクデータ送信回数に応じてグループごとにＬＢＴのカウンタ値（初期値）を調整してもよい。ＬＢＴのカウンタ値（初期値）は、図５のステップＳ３で設定される「Ｎ」に相当する。具体的には、ｅＮＢ２００は、送信回数が少ないグループに属するＵＥ１００に対して、ＬＢＴのカウンタ値（初期値）を下げるよう設定することにより、送信回数が少ないグループに属するＵＥ１００の送信機会を増やす。
【０１１６】
［第６実施形態の変更例２］
ＬＢＴにより上りリンクデータ送信を開始可能であると判断してから上りリンクデータ送信を開始するまでの待ち時間は、システム仕様により事前設定されていてもよい。この場合、「Ｔｒａｎｓｍｉｓｓｉｏｎ  Ｔｉｍｅ  Ｉｎｆｏ．」は、上りリンクデータ送信の開始タイミングを示す情報を含まないシンプルな通知であってもよい。
【０１１７】
具体的には、ＵＥ１００（Ａ）は、「Ｔｒａｎｓｍｉｓｓｉｏｎ  Ｔｉｍｅ  Ｉｎｆｏ．」を送信してから、事前設定された待ち時間が経過したタイミングを上りリンクデータ送信の開始タイミングとして決定し、当該タイミングにおいて上りリンクデータ送信を開始する。ＵＥ１００（Ｂ）は、「Ｔｒａｎｓｍｉｓｓｉｏｎ  Ｔｉｍｅ  Ｉｎｆｏ．」を受信してから、事前設定された待ち時間が経過したタイミングを上りリンクデータ送信の開始タイミングとして決定し、当該タイミングにおいて上りリンクデータ送信を開始する。
【０１１８】
なお、事前設定された待ち時間は、他装置から割り込まれない程度の短い時間であってもよい。例えば、事前設定された待ち時間は、無線ＬＡＮにおいて用いられるＳＩＦＳ（Ｓｈｏｒｔ  Ｉｎｔｅｒ  Ｆｒａｍｅ  Ｓｐａｃｅ）に相当する時間であってもよい。
【０１１９】
［その他の実施形態］
上述した実施形態において、セル＃１（ライセンスドバンド）及びセル＃２（アンライセンスドバンド）を同一のｅＮＢ２００が管理している一例を説明した。しかしながら、セル＃１（ライセンスドバンド）及びセル＃２（アンライセンスドバンド）を異なるｅＮＢ２００が管理する場合にも本発明を適用可能である。
【０１２０】
上述した実施形態において、移動通信システムとしてＬＴＥシステムを例示した。しかしながら、本発明はＬＴＥシステムに限定されない。ＬＴＥシステム以外のシステムに本発明を適用してもよい。
【０１２１】
［付記］
（１．はじめに）
前回の会合では、ＵＬ  ＬＡＡが議論された。この付記では、ＵＬ  ＬＡＡの機能をさらに詳細に検討する。
【０１２２】
（２．ＵＬのためのＬＢＴの検討）
上りリンクの場合には、ＦＢＥは、ＵＥがＵＬ送信前にＬＢＴを実行する必要がある場合にＬＢＥよりも適している。Ｒｅｌ−１２の上りリンクアクセス手順を再利用する原則を遵守するために、すなわち、基地局は、上りリンクリソースを割り当てることにより、ＵＬ送信を制御する。その場合には、ＵＥは、付与された上りリンクリソース上で送信する前に、割り当てられていないリソースの予約信号を送信する場合、許容できない。
【０１２３】
ＬＢＥが上りリンク送信に適用される場合、ＵＥが開始時間を基地局に通知するための指示を送信しない限り、ｅＮＢは予めＵＬ送信の開始時間を認識していない。
【０１２４】
さらに、ＲＡＮ１は、ＤＬとＵＬとで異なるスキーム、すなわち、ＬＢＥがＤＬのために適用され、ＦＢＥがＵＬに適用されることが有益であるかどうかの問題を解決する必要がある。私たちの提案はＲＡＮ１がこの問題をさらに検討すべきである。
【０１２５】
提案１：ＦＢＥ  ＬＢＴは、上りリンクＬＡＡのベースラインにすべきである。
【０１２６】
提言２：ＤＬとＵＬとに異なるスキームを有することが有益であるかどうか（すなわち、ＬＢＥがＤＬのために適用され、ＦＢＥがＵＬに適用される）を研究すべきである。
【０１２７】
（３．ＵＬ  ＬＢＴの問題）
このセクションでは、ＵＬ  ＬＢＴに関連する問題を検討する。ｅＮＢは、複数のＵＥ（ＵＥ１及びＵＥ２）のための連続的なサブフレームを割り当てる場合に、図１に示すように、ＵＥの一つがＬＢＴ障害を経験し得る。図１７は、２つのＵＥ間の連続送信の例を示す図である。
【０１２８】
したがって、ｅＮＢは、第２のＵＥ２との連続送信を調整するために最後のシンボルを省略することを示すインディケーションをＵＥ１に送信可能であるべきである。最後のシンボルを省略する必要性が動的に変化するので、このインディケーションは、上りリンクグラントに含まれるべきである。
【０１２９】
提案３：ｅＮＢは、最後のシンボルの送信を省略するインターネットをＵＥに送信することができるべきである。
【０１３０】
（４．ＵＬ送信開始時間の検討）
ＦＢＥがＵＬ  ＬＡＡに適用される場合、ＵＥは、ＤＬ  ＬＡＡの議論の間に説明したように、イニシャル信号を送信する必要がない。
【０１３１】
ＬＢＥがＵＬ  ＬＡＡに適用される場合、ＵＥはその送信開始時間をサービングｅＮＢに通知することが必要である。ＬＢＥに基づくＵＬの場合には、一つのサブフレーム内で多重化されるので、複雑性を有しており、複数のＵＥは、各ＵＥが自身のそれぞれのイニシャル信号を送信する必要がある。これらの複雑性により、ＲＡＮ１は、より慎重にこれらの問題を検討する必要がある。
【０１３２】
（５．ＤＬとＵＬの切り替え）
このセクションでは、ＤＬ＋ＵＬ  ＬＡＡのためのＤＬとＵＬとの切り替えに焦点を当てる。ＤＬからＵＬへの切り替えの場合には、特別なサブフレームを指定する必要がある（図１８の上部を参照）。これらの特別なサブフレームの数は少なくすべきである。
【０１３３】
さらに、ｅＮＢは、ＤＬとＵＬとの切り替えをスケジュールする柔軟性を持っている必要がある。この柔軟なＤＬからＵＬへの切り替えは、ｅＮＢが送信用のデータがない場合に直ちに切り換えることができるので、既存のＲｅｌ−１２のＴＤＤフレーム構成よりも優れたアプローチである。現在のＴＤＤフレーム構成では、ｅＮＢが送信するデータを有するか否かに関係なく、ｅＮＢは切り替え時まで待たなければならない。
【０１３４】
図１８は、一例として、ＤＬからＵＬへの切り替え、及びＵＬからＤＬへの切り替えのためのアプローチを示す。この図に示すように、ＤＬからＵＬへの切り替えの場合には、ＲＡＮ１は、ＵＬ送信の終了ポイントにＤＬ  ＬＢＴためのガード期間を考慮すべきであると考える。
【０１３５】
提案４：ＮＢは、ＤＬからＵＬへの切り替え機会及びＵＬからＤＬへの切り替え機会をスケジュールする柔軟性を持っている必要がある。ｅＮＢは、機会を切り替えＤＬにＵＬスイッチング機会とＵＬにＤＬをスケジュールする柔軟性を持っている必要がある。
【０１３６】
提案５：ＲＡＮ１は、ＵＬ送信の終了ポイントにＤＬ  ＬＢＴためのガード期間を考慮すべきである。
【０１３７】
［相互参照］
米国仮出願第６２／１６２２４３（２０１５年５月１５日出願）及び米国仮出願第６２／１６５３１５（２０１５年５月２２日出願）の全内容が参照により本願明細書に組み込まれている。
【産業上の利用可能性】
【０１３８】
本発明は、通信分野において有用である。
【図１】
2019033525.tif 000003
【図２】
2019033525.tif 000004
【図３】
2019033525.tif 000005
【図４】
2019033525.tif 000006
【図５】
2019033525.tif 000007
【図６】
2019033525.tif 000008
【図７】
2019033525.tif 000009
【図８】
2019033525.tif 000010
【図９】
2019033525.tif 000011
【図１０】
2019033525.tif 000012
【図１１】
2019033525.tif 000013
【図１２】
2019033525.tif 000014
【図１３】
2019033525.tif 000015
【図１４】
2019033525.tif 000016
【図１５】
2019033525.tif 000017
【図１６】
2019033525.tif 000018
【図１７】
2019033525.tif 000019
【図１８】
2019033525.tif 000020
【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
アンライセンスドバンドの監視結果に応じて上りリンクデータ送信を行うユーザ端末との通信を行う基地局であって、
前記アンライセンスドバンドにおける上りリンク送信用の時間リソースとして、連続する複数のサブフレームを前記ユーザ端末に割り当てる制御部と、
前記連続する複数のサブフレームのうち最初のサブフレームに対応する割り当て情報を前記ユーザ端末に送信する送信部と、を備え、
前記送信部は、前記最初のサブフレームを示す情報と、前記連続する複数のサブフレームのうち前記最初のサブフレームに後続するサブフレームの数を示す情報とを、前記最初のサブフレームに対応する前記割り当て情報に含める
基地局。
【請求項２】
アンライセンスドバンドにおける上りリンク送信用の時間リソースとして、連続する複数のサブフレームを示す割り当て情報を基地局から受信する受信部と、
前記アンライセンスドバンドの監視結果に応じて、前記連続する複数のサブフレームの少なくとも１つを用いて前記アンライセンスドバンドにおける上りリンクデータ送信を行う送信部と、を備え、
前記連続する複数のサブフレームのうち最初のサブフレームに対応する割り当て情報は、前記最初のサブフレームを示す情報と、前記連続する複数のサブフレームのうち前記最初のサブフレームに後続するサブフレームの数を示す情報とを含む
ユーザ端末。
【請求項３】
アンライセンスドバンドの監視結果に応じて上りリンクデータ送信を行うユーザ端末との通信を行う基地局のための方法であって、
前記アンライセンスドバンドにおける上りリンク送信用の時間リソースとして、連続する複数のサブフレームを前記ユーザ端末に割り当てるステップと、
前記連続する複数のサブフレームのうち最初のサブフレームに対応する割り当て情報を前記ユーザ端末に送信するステップと、を備え、
前記送信するステップは、前記最初のサブフレームを示す情報と、前記連続する複数のサブフレームのうち前記最初のサブフレームに後続するサブフレームの数を示す情報とを、前記最初のサブフレームに対応する前記割り当て情報に含めるステップを備える
方法。
【請求項４】
ユーザ端末のための方法であって、
アンライセンスドバンドにおける上りリンク送信用の時間リソースとして、連続する複数のサブフレームを示す割り当て情報を基地局から受信するステップと、
前記アンライセンスドバンドの監視結果に応じて、前記連続する複数のサブフレームの少なくとも１つを用いて前記アンライセンスドバンドにおける上りリンクデータ送信を行うステップと、を備え、
前記連続する複数のサブフレームのうち最初のサブフレームに対応する割り当て情報は、前記最初のサブフレームを示す情報と、前記連続する複数のサブフレームのうち前記最初のサブフレームに後続するサブフレームの数を示す情報とを含む
方法。
【請求項５】
請求項１に記載の基地局と、
請求項２に記載のユーザ端末と、を備える
移動通信システム。